(57)【特許請求の範囲】
【請求項１】
便器洗浄タンクを有さず、給水管から供給される水で便器本体の洗浄を行なう便器洗浄装置をもつタンクレス便器において、
前記便器洗浄装置は、前記給水管に連通して水が供給される入水ポートと前記便器本体の流路に該水を供給可能な出水ポートとが形成された弁ハウジングと、該弁ハウジングから突出して該弁ハウジングに軸方向で移動可能に設けられ、該入水ポートと該出水ポートとの開閉を行うシャフトをもつ弁機構とを有する複数個の開閉弁と、
該シャフトを該軸方向に移動させるカムを有するカム装置とを備え、
上記便器本体は、横方向から見て、後部上方が後部下方に比べて前方に位置する段差を有し、
該弁ハウジングの内部には、該入水ポート及び該出水ポートに連通する該軸方向に延びるピストン室が形成され、
該弁機構は、該ピストン室に摺動可能に設けられ、座面から離座することにより該入水ポートと該出水ポートとを連通させるピストンと、該ピストンに同軸的に設けられ、カム装置のカムにより該弁ハウジング側に押圧される該シャフトとで構成され、
該入水ポートは該ピストンの周面側に開口し、該出水ポートは該ピストンの該軸方向の一方側に開口し、
該ピストン室には、該ピストンの一方側と該軸方向で連通する連通路によって連通する圧力相殺室が該ピストンの他方側と該弁ハウジングとの間で形成され、
上記便器洗浄装置は、上記シャフトが該便器本体の縦方向に延在するように上記全開閉弁が該便器本体の該後部上方の該段差内に設けられていることを特徴とするタンクレス便器。
【請求項２】
開閉弁の軸方向上端にカム装置が設けられ、該カム装置に隣接してカムを駆動するモータが設けられていることを特徴とする請求項１記載のタンクレス便器。
【請求項３】
開閉弁の軸方向下端にカム装置が設けられ、該カム装置に隣接してカムを駆動するモータが設けられていることを特徴とする請求項１記載のタンクレス便器。
【発明の詳細な説明】
【０００１】
【発明の属する技術分野】
本発明は便器洗浄タンクを有さず、水道管等の給水管から供給される水で便器本体の洗浄を行なう便器洗浄装置をもつタンクレス便器に関する。
【０００２】
【従来の技術】
一般的な水洗式便器では、水道管等の給水管から供給される水をロータンク等の便器洗浄タンクに一旦貯留し、その便器洗浄タンクに貯留した水により便器本体の洗浄を行う。この便器洗浄タンクは、便器本体の外方に位置するようにトイレの側壁に取り付けられており、しかも、排泄物の便器本体からの排出を確実に行うべく多量の水を一度に便器本体に吐出するため大容積とされている。このため、かかる一般的な水洗式便器では、便器洗浄タンクを設置するために大きなスペースが必要とされる。
【０００３】
そこで、近年、トイレのスペースの有効活用等の観点から、便器洗浄タンクを有さないタンクレス便器が開発されつつある（特開平３−９０７２３号公報）。このタンクレス便器では、水道管等の給水管から直接供給される水で便器本体の洗浄を行なう便器洗浄装置が便器本体に設けられており、便器洗浄装置に組み込まれている開閉弁の開弁により、水道管等の給水管から供給される水を便器本体へ直接供給することとなっている。
【０００４】
【発明が解決しようとする課題】
しかしながら、上記従来のタンクレス便器では、便器本体に便器洗浄装置を設けるに際し、便器本体を使用する使用者の邪魔にならない等、便器洗浄装置の便器本体への設置スペースについての検討が十分でない。
例えば、上記タンクレス便器では、便器洗浄装置に開閉弁が組み込まれている他、開閉弁の弁機構を駆動する駆動装置等の各種部品も組み込まれているため、便器洗浄装置の設置スペースが大型化する傾向となる。特に、便器本体内の排泄物を排出するために便器本体に水を供給する流路が複数である場合、流路毎に開閉弁を組み込むことが要請され、この意味においても設置スペースは大型化する傾向となる。さらに、局部洗浄機能付きのタンクレス便器や暖房便座機能付きのタンクレス便器である場合には、局部洗浄や暖房便座に必要とされる部品も便器洗浄装置に上記開閉弁等と共に組み込まれることとなり、この意味においても便器洗浄装置の設置スペースが大型化する傾向となる。
【０００５】
本発明は、上記した実情に鑑みてなされたものであり、便器洗浄装置の設置スペースを抑えることができるタンクレス便器を提供することを解決すべき課題としている。
【０００６】
【課題を解決するための手段】
本発明のタンクレス便器は、便器洗浄タンクを有さず、給水管から供給される水で便器本体の洗浄を行なう便器洗浄装置をもつタンクレス便器において、
前記便器洗浄装置は、前記給水管に連通して水が供給される入水ポートと前記便器本体の流路に該水を供給可能な出水ポートとが形成された弁ハウジングと、該弁ハウジングから突出して該弁ハウジングに軸方向で移動可能に設けられ、該入水ポートと該出水ポートとの開閉を行うシャフトをもつ弁機構とを有する複数個の開閉弁と、
該シャフトを該軸方向に移動させるカムを有するカム装置とを備え、
上記便器本体は、横方向から見て、後部上方が後部下方に比べて前方に位置する段差を有し、
該弁ハウジングの内部には、該入水ポート及び該出水ポートに連通する該軸方向に延びるピストン室が形成され、
該弁機構は、該ピストン室に摺動可能に設けられ、座面から離座することにより該入水ポートと該出水ポートとを連通させるピストンと、該ピストンに同軸的に設けられ、カム装置のカムにより該弁ハウジング側に押圧される該シャフトとで構成され、
該入水ポートは該ピストンの周面側に開口し、該出水ポートは該ピストンの該軸方向の一方側に開口し、
該ピストン室には、該ピストンの一方側と該軸方向で連通する連通路によって連通する圧力相殺室が該ピストンの他方側と該弁ハウジングとの間で形成され、
上記便器洗浄装置は、上記シャフトが該便器本体の縦方向に延在するように上記全開閉弁が該便器本体の該後部上方の該段差内に設けられていることを特徴とする。
【０００７】
本発明のタンクレス便器では、カム装置のカムを駆動すると、開閉弁の弁ハウジングから突出しているシャフトが軸方向に移動し、開閉弁の弁ハウジングの入水ポートと出水ポートとの開閉が行われる。これにより、給水管から供給される水が便器本体の流路に供給されたり、停止されたりする。これにより便器本体の洗浄が行われる。
【０００８】
本発明のタンクレス便器では、開閉弁の弁ハウジングから突出したシャフトが便器本体の縦方向に延在している。このため、シャフトの先端が便器本体の側方や後方には突出せず、便器洗浄装置の設置スペース化を抑えることができる。
カム装置は、従動子であるシャフトが係合する回転体をもち、回転体の回転に伴いシャフトを往復移動させる機構をいう。従動子であるシャフトをカムに接触させるために重力を利用しても良いし、あるいはシャフトとカムとの接点を確実にするため、バネ等の付勢手段を採用することもできる。回転体の回転方向は設置スペース等の事情を考慮して選択でき、便器本体の前後方向、左右方向、これらに対して傾斜している方向等を問わない。カム装置としては公知のカム機構を採用することができる。
【０００９】
本発明のタンクレス便器では、カム装置のカムのプロフィールの選択により、弁機構の開弁速度・閉弁速度を任意に設定することができることから、急激な開弁、急激な閉弁を抑制でき、騒音、ウォータハンマ現象等を抑制することができる。さらに、開弁や閉弁の際にカム装置の駆動を途中で停止させることも可能である。この場合には、全開や全閉だけでなく、開弁量や閉弁量を途中の段階で継続して維持することもでき、これにより水を少量ずつ便器本体に流し続けることで寒冷時における水の凍結防止にも有利となる。
【００１０】
開閉弁の軸方向上端にカム装置が設けられ、カム装置に隣接してカムを駆動するモータが設けられている構成を採用することができる。また、開閉弁の軸方向下端にカム装置が設けられ、カム装置に隣接してカムを駆動するモータが設けられている構成を採用することもできる。
便器本体を洗浄するための流路が複数の場合には、流路の数に応じて開閉弁が複数個設けられ得る。こうであれば、流路毎に開閉を行うことができる。この場合に本発明の効果が大きい。複数個の開閉弁は互いに隣接するように設けられていることが好ましい。
【００１１】
開閉弁のシャフトは、カム装置のカムにより押圧されることにより開閉弁の入水ポートと出水ポートとの連通を開ける方式が好ましい。こうであれば、機構の簡素化に有利であり、製造コストを低廉化することができる。
【００１２】
【発明の実施の形態】
以下、本発明を具体化した実施形態１〜６を図面を参照しつつ説明する。
（実施形態１）
まず、本実施形態のタンクレス便器について説明する。図１に示すように、便器本体１は、排泄物を受けるボウル部１０をもつ便鉢１１と、ボウル部１０の上部周縁に巡らされたリム通水路１２を有するリム１３と、ボウル部１０の底に連通し排泄物を流すトラップ部１４とを有している。トラップ部１４の入口にはジェットノズル１５が備えられている。
【００１３】
便器本体１には、ジェットノズル１５に給水する流路としてのジェット用導管１８と、リム通水路１２に給水する流路としてのリム用導管１９が設けられている。リム用導管１９は、図３に示すように、先端側に開いて水を右回りに吐出可能な開口１９ａと、側面側に開いて水を左回りに吐出可能な開口１９ｂとを備えている。
【００１４】
図２及び図３に示すように、便器本体１の後部の幅方向の片側には、便器洗浄用の水と他の用途の水とに分水するための分岐装置２が設けられている。分岐装置２は、フレキシブルホース２１により図略の止水栓を介して水道管等の給水管に接続されている。分岐装置２と便器洗浄装置３とは導管２３で連通しており、分岐装置２で分岐された水は、導管２３を介して便器洗浄装置３に供給される。なお、図１〜４では便蓋及び便座は省略されている。
【００１５】
次に、本実施形態の要部である便器洗浄装置３について更に説明を加える。図２に示すように、便器洗浄装置３は、便器本体１の後部に保持されたベースプレート３１に分岐装置２と反対側に位置して組み込まれており、カバー３２により覆われて隠蔽されている。
便器洗浄装置３は、リム通水路１２に給水するリム用の開閉弁４Ｒと、ジェットノズル１５に給水するジェット用の開閉弁４Ｊと、開閉弁４Ｒ、４Ｊを開閉するための共通駆動源として機能するカム装置８とを備えている。図２〜４に示すように、２個の開閉弁４Ｒ、４Ｊは縦長形状であり、互いに隣接して並設されている。
【００１６】
ジェット用の開閉弁４Ｊの内部構造は図５（Ａ）及び（Ｂ）に模式的に示されている。ジェット用の開閉弁４Ｊは、水を取り込む入水ポート４２と水を吐き出す出水ポート４３とを有する縦長形状の弁ハウジング４１と、弁ハウジング４１に設けられた弁機構４５とを有する。弁ハウジング４１の内部には、入水ポート４２及び出水ポート４３に連通するピストン室４４が形成されている。弁機構４５は、ピストン室４４に摺動可能に設けられたピストン４６と、弁ハウジング４１の上端から上方に突出するようにピストン４６の一端面（上端面）に同軸的に固定されたシャフト４７とを備えている。
【００１７】
シャフト４７は横断面円形状をなしており、金属又は硬質樹脂で形成されており、便器本体１の縦方向に沿って、つまり高さ方向に沿って延在している。シャフト４７と弁ハウジング４１との境界域はＯリング４９によりシールされている。
弁ハウジング４１において、入水ポート４２はピストン４６の周面側に開口して水道管等の給水管に連通しており、出水ポート４３はピストン４６の軸方向の一端面４６ａ側から弁ハウジング４１の側面側に屈曲して開口している。図５（Ａ）及び（Ｂ）では、出水ポート４３は本来的には断面としてあらわれないが、理解容易化のため断面として示す。ピストン４６の外周部のリング溝にはＯリング４８が保持されており、Ｏリング４８によりピストン４６の外周部と弁ハウジング４１の内壁面との境界域はシールされている。
【００１８】
また、ピストン室４４内には、弁ハウジング４１とピストン４６の他端面とにより圧力相殺室５０が形成されている。圧力相殺室５０はピストン４６に形成された複数本の連通路５１を介して出水ポート４３側に連通している。各連通路５１はピストン４６の一端面４６ａ側と他端面４６ｂ側とを軸方向で連通している。圧力相殺室５０には、付勢手段としての押圧コイルバネ５２が同軸的に配置されている。押圧コイルバネ５２は弁ハウジング４１とピストン４６の他端面４６ｂとの間に介装され、ピストン４６を常時矢印Ｙ１方向つまり上方に付勢し、入水ポート４２と出水ポート４３との連通を閉じるようになっている。
【００１９】
シャフト４７は、前述したように、弁ハウジング４１から矢印Ｙ１方向つまり上方に突出し、カム装置８により矢印Ｙ２ａ方向つまり下方に押圧されるようになっている。カム装置８によりシャフト４７の先端が矢印Ｙ２ａ方向に押圧されると、ピストン４６が連動して同じ方向に摺動し、ピストン４６が座面４１ｘから離座し、入水ポート４２と出水ポート４３とが連通する。
【００２０】
リム用の開閉弁４Ｒの内部構造については、ジェット用の開閉弁４Ｊの内部構造と実質的に同一であるため、説明を省略する。
弁ハウジング４１とピストン４６の外周面との間に形成されたリング状の連通路５４を介して、ジェット用の開閉弁４Ｊの入水ポート４２とリム用の開閉弁４Ｒの入水ポート４２とは、互いに連通している。
【００２１】
図６及び図７に示すように、シャフト４７の上端には、カム装置８の第１カム８５との摺動円滑性を確保する球面部４７ｘが設けられている。ジェット用の開閉弁４Ｊの入水ポート４２には側面側に突出してフランジ４２ａが形成されており、フランジ４２ａには導管２３の一端が接続されている。
便器洗浄装置３においては、図６に示すように、ジェット用の開閉弁４Ｊには連結部材６Ｊが矢印Ｆ１方向つまり便鉢１１の前部に向けて突出するように設けられており、連結部材６Ｊの上端部には大気に開放するバキュームブレーカ６１Ｊが設けられている。ジェット用の開閉弁４Ｊの出水ポート４３は、連結部材６Ｊの出水ポート６ｃとバキュームブレーカ６１Ｊの大気孔とに連通されている。連結部材６Ｊの出水ポート６ｃには下方に突出してフランジ６ｅが形成されており、フランジ６ｅはジェット用導管１８によりジェットノズル１５に接続されている。
【００２２】
他方、図７に示すように、リム用の開閉弁４Ｒにも連結部材６Ｒが設けられており、連結部材６Ｒの上端部には大気に開放するバキュームブレーカ６１Ｒが接続されている。リム用の開閉弁４Ｒの出水ポート４３は、連結部材６Ｒの出水ポート６ｃ及びバキュームブレーカ６１Ｒの大気孔と接続されている。リム用の開閉弁４Ｒの連結部材６Ｒの出水ポート６ｃには、下方に突出してフランジ６ｅが形成されており、フランジ６ｅは、リム用導管１９によりリム通水路１２に連通されている。
【００２３】
図２に示すように、便器洗浄装置３の主要素であるカム装置８は、開閉弁４Ｒ、４Ｊの軸方向上端に設けられており、前方つまり便鉢１１の前部側に突出する２個の取付片８１をもつブラケット８２に固定されている。即ち、カム装置８は、取付片８１に水平状態で回転可能に保持された回転体としての回転軸８３と、回転軸８３にこれの軸直角方向に突出するように設けられた第１カム８５及び第２カム８６とを備えている。図２及び図３に示すように、回転軸８３は便鉢１１の幅方向に沿って延設されている。
【００２４】
回転軸８３が回転すると、第１カム８５及び第２カム８６は便鉢１１の高さ方向に沿って回転する。これにより、第１カム８５の外周のカム面はリム用の開閉弁４Ｒのシャフト４７（従動子に相当）に当接してこれを下方に移動させると共に、第２カム８６の外周のカム面はジェット用の開閉弁４Ｊのシャフト４７（従動子に相当）に当接してこれを下方に移動させる。
【００２５】
図２〜４に示すように、便器洗浄装置３では、カム装置８を駆動させる駆動装置７がカム装置８に隣接して設けられている。駆動装置７はブラケット８２の一方の取付片８１に固定されており、モータ７１と、モータ７１の回転力を回転軸８３に伝達する減速ギヤとを内蔵しており、図示しないコントローラの制御により回転軸８３を回転駆動できるようになっている。さらに、駆動装置７には、カム装置８の回転軸８３を手動で回転させる手動軸７４が便器本体１の側方に位置するように設けられている。手動軸７４は操作ハンドル７５をもち、操作ハンドル７５と共に便器洗浄装置３に対して脱着可能とされている。不使用時には手動軸７４を脱着しておけば、省スペース化を図り得る。
【００２６】
図２に示すように、上記した開閉弁４Ｒ、４Ｊ、モータ７１及びカム装置８は、単一の共通のベースプレート３１により便器本体１の後部に取り付けられている。
上記のように構成されたタンクレス便器では、給水管、止水栓、フレキシブルホース２１、分岐装置２及び導管２３を経て、水が便器洗浄装置３に供給される。便器洗浄装置３では、便鉢１１の洗浄を行おうとする使用者のスイッチ操作がない限り、両開閉弁４Ｊ、４Ｒが閉弁している。つまり、図５（Ａ）及び（Ｂ）で説明すれば、押圧コイルバネ５２の付勢力により、ピストン４６が軸方向の一方側、つまり矢印Ｙ１方向に移動している。このため、図５（Ａ）に示すように、ピストン４６は弁ハウジング４１の座面４１ｘに着座し、ピストン４６の外周面が入水ポート４２を閉鎖するとともに、ピストン４６の一端面４６ａが出水ポート４３を閉鎖している。このため、入水ポート４２と出水ポート４３との連通が閉じられており、水は便器本体１へは供給されない。
【００２７】
そして、便鉢１１の洗浄を行うときには、使用者のスイッチ操作に基づいて、コントローラの信号により駆動装置７のモータ７１が駆動し、回転軸８３が回転駆動される。これにより、第１カム８５のカム面がリム用の開閉弁４Ｒのシャフト４７を下方向に押圧し、リム用の開閉弁４Ｒを開弁させる。図５（Ａ）及び（Ｂ）で説明すれば、押圧コイルバネ５２が弾性収縮し、ピストン４６は軸方向の他方向、つまり矢印Ｙ２方向に移動する。このため、図５（Ｂ）に示すように、ピストン４６は弁ハウジング４１の座面４１ｘから離座し、入水ポート４２と出水ポート４３との連通を開ける。これにより、便器洗浄装置３が水をリム用導管１９を介してリム通水路１２に給水し、ボウル部１０の内壁面を洗浄する。
【００２８】
カム装置８の駆動に伴い、第１カム８５のカム面がリム用の開閉弁４Ｒのシャフト４７を下方向に押圧しなくなり、リム用の開閉弁４Ｒが閉弁するようになる。その後、第２カム８６のカム面がジェット用の開閉弁４Ｊのシャフト４７を下方向に押圧し、ジェット用の開閉弁４Ｊを開弁させる。これにより、便器洗浄装置３が水をジェット用導管１８を介してジェットノズル１５に給水し、トラップ部１４に強制的にサイホン作用を生じさせる。
【００２９】
次いで、カム装置８の駆動に伴い、第２カム８６のカム面がジェット用の開閉弁４Ｊのシャフト４７を下方向に押圧しなくなり、ジェット用の開閉弁４Ｊが閉弁するようになる。その後第１カム８５のカム面がリム用の開閉弁４Ｒのシャフト４７を再度下方向に押圧し、リム用の開閉弁４Ｒを再度開弁させる。これにより、便器洗浄装置３が水をリム用導管１９を介してリム通水路１２に給水し、ボウル部１０を封水する。
【００３０】
以下、図５（Ａ）及び（Ｂ）で説明すれば、ピストン４６により入水ポート４２と出水ポート４３との開閉を行うことから、ピストン４６は出水ポート４３内の水によって他方側につまり矢印Ｙ２方向に圧力を受けることとなる。かかる他方側への圧力により、ピストン４６は軸方向の摺動性が阻害されてしまうおそれがある。この点、開閉弁４Ｊ、４Ｒでは、ピストン４６の他方側に圧力相殺室５０を形成し、ピストン４６の一方側とこの圧力相殺室５０とを複数本の連通路５１により連通したため、出水ポート４３からピストン４６の一端面４６ａ側に存在する水が連通路５１を介して圧力相殺室５０に移動し、圧力相殺室５０内の水の圧力と、ピストン４６の一端面４６ａ側の水の圧力との均衡が図られ、両者の差圧が解消又は減少される。これにより、ピストン４６の軸方向の摺動性が確保される。
【００３１】
以上の説明から理解できるように、本実施形態では、シャフト４７をカム装置８のカム８５、８６で押圧して軸方向に移動させることにより、開閉弁４Ｊ、４Ｒの開閉操作を行う新規な方式の便器洗浄装置３を採用している。ここで、開閉弁４Ｊ、４Ｒのシャフト４７は、便器本体１に対して横方向に延在するのではなく、便器本体１の縦方向に延在するように設けられているため、シャフト４７の先端が便器本体１の側方や後方に突出しない。このため、便器本体１の後部に取り付けられる便器洗浄装置３の設置スペースを抑えることができる。
【００３２】
また、開閉弁４Ｊ、４Ｒの軸方向上端にカム装置８が設けられているため、開閉弁４Ｊ、４Ｒを設置したスペースの上にカム装置８を重ねて設置することができ、設置スペースを一層抑えることができる。
さらに、モータ７１をもつ駆動装置７はカム装置８に隣接して設けられているため、この意味においても設置スペースをなお一層抑えることができる。
【００３３】
また、本実施形態では、シャフト４７は、入水ポート４２と出水ポート４３との連通を開けるためにカム装置８によって押される構造となるため、構造が比較的簡易となり、製造コストを低廉化することができる。
さらに、図７に示すように、カム装置８を構成する回転軸８３の軸長方向に沿って開閉弁４Ｊ、４Ｒを配置している。このため、設置スペース抑制の効果が大きい。また、回転軸８３の第１カム８５及び第２カム８６により複数個並べた開閉弁４Ｊ、４Ｒをそれぞれ開閉するに際し、開閉弁４Ｊ、４Ｒの共通駆動源としてカム装置８を利用しているため、設置スペースを一層抑えることができる。
【００３４】
また、カム８５、８６のプロフィールの選択により、開閉弁４Ｊ、４Ｒの弁機構４５の開弁速度・閉弁速度を任意に設定できることから、急激な開弁、急激な閉弁を抑制でき、騒音、ウォータハンマ現象等を抑制することができる。
さらに、開弁や閉弁の際、モータ７１でカム装置８を駆動する場合にはスイッチ操作により、手動軸７４でカム装置８を駆動する場合には手動操作により、カム装置８の駆動を途中で停止させることも可能である。後者の場合、弁機構４５の開弁量や閉弁量を途中の段階で維持することもできるため、水を少量ずつ便器本体１に流し続けることができ、寒冷時における水の凍結防止にも有利となる。
【００３５】
（実施形態２）
実施形態２を図８及び図９に示す。実施形態２は実施形態１と基本的には同様の構成であり、基本的には同様の作用効果を奏する。本実施形態では共通の部位には共通の符号を付する。以下、実施形態１と異なる部位を中心として説明する。
【００３６】
本実施形態ではジェット用の開閉弁４Ｊの連結部材６Ｊとリム用の開閉弁４Ｒの連結部材６Ｒとは、互いに所定距離離れるように、ジェット用の開閉弁４Ｊの弁ハウジング４１とリム用の開閉弁４Ｒの弁ハウジング４１の側方、つまり便鉢１１の側方に向けて突出されている。設置スペース、配管事情等を考慮したものである。したがって、図９に示すように、連結部材６Ｊ、６Ｒ間に第１カム８５及び第２カム８６、開閉弁４Ｊ、４Ｒが位置している。
【００３７】
実施形態２においても、開閉弁４Ｊ、４Ｒのシャフト４７は便器本体の縦方向につまり高さ方向に延在しており、これによりシャフト４７の先端が側方または後方に突出することが抑えられており、設置スペースを抑えることができる。
また、カム装置８は開閉弁４Ｊ、４Ｒの軸方向上端に設けられており、開閉弁４Ｊ、４Ｒの設置スペースの上にカム装置８が設置されているため、この意味においても設置スペースを抑えることができる。
【００３８】
（実施形態３）
実施形態３を図１０及び図１１に示す。実施形態３は実施形態１と基本的には同様の構成であり、基本的には同様の作用効果を奏する。本実施形態では共通の部位には共通の符号を付する。以下、実施形態１と異なる部位を中心として説明する。
【００３９】
実施形態１では、ジェット用の開閉弁４Ｊの連結部材６Ｊとリム用の開閉弁４Ｒの連結部材６Ｒとは互いに独立しているが、本実施形態では、ジェット用の開閉弁４Ｊとリム用の開閉弁４Ｒとの間に、両者に共通化された連結部材６Ｃが設けられている。
共通化された連結部材６Ｃは、大気に連通する共通バキュームブレーカ６１Ｃに連通する出水ポート６ｍ、６ｎをもつ。出水ポート６ｍはジェット用の開閉弁４Ｊの出水ポート４３に連通すると共に、出水ポート６ｎはリム用の開閉弁４Ｒの出水ポート４３に連通する。
【００４０】
実施形態３では、共通化された連結部材６Ｃは、回転軸８３の軸長方向において第１カム８５と第２カム８６との間に設けられており、回転軸８３の軸長が長くなり、第１カム８５と第２カム８６との間隔が増加している。
実施形態３においても、図１１に示すように、開閉弁４Ｊ、４Ｒのシャフト４７は便器本体の縦方向に延在しており、シャフト４７が側方または後方に突出することが抑えられており、設置スペースを抑えることができる。
【００４１】
また、カム装置８は開閉弁４Ｊ、４Ｒの軸方向上端に設けられ、カム装置８が開閉弁４Ｊ、４Ｒの設置スペースの上に設置されているため、この意味においても設置スペースを抑えることができる。
（実施形態４）
実施形態４を図１２に示す。実施形態４は実施形態１と基本的には同様の構成であり、基本的には同様の作用効果を奏する。本実施形態では共通の部位には共通の符号を付する。以下、実施形態１と異なる部位を中心として説明する。
【００４２】
実施形態４では、ベースプレート３１にリム用の開閉弁４Ｒ及びジェット用の開閉弁４Ｊが互いに対向するように且つ上下に位置するように設けられている。また、ベースプレート３１には、駆動装置７が開閉弁４Ｒの側方に取り付けられている。
カム装置８Ｄは、ベースプレート３１に保持された回転軸８３Ｄと、回転軸８３Ｄに一体に設けられ水平方向に回転する回転体としてのギヤ８７と、ギヤ８７の上面部に突設された第１カム８５Ｄと、ギヤ８７の下面部に突設された第２カム８６Ｄとを備えている。第１カム８５Ｄ及び第２カム８６Ｄは、ギヤ８７の周方向に沿って傾斜したカム面をもつ。
【００４３】
回転軸８３Ｄは縦型であり、ベースプレート３１に固定された軸受９０ａ、９０ｂに回転可能に支持されている。第１カム８５Ｄは、リム用の開閉弁４Ｒのシャフト４７に被着された摺動キャップ４７ｓに係合する。第２カム８６Ｄは、ジェット用の開閉弁４Ｊのシャフト４７に被着された摺動キャップ４７ｓに係合する。摺動キャップ４７ｓは耐摩耗性の良好な材料で形成されており、摩擦抵抗を低減すべく球面状の外面をもつ。
【００４４】
駆動装置７Ｄは、ベースプレート３１に取り付けられ下向きのモータ軸７２をもつモータ７１と、ベースプレート３１に設けられた軸受９０ｅ、９０ｆに回転可能に保持されモータ軸７２に係合する駆動軸７７と、駆動軸７７に保持され水平方向に沿って回転可能な駆動ギヤ７８とを備えている。駆動ギヤ７８及びギヤ８７は互いに噛合する。
【００４５】
便鉢１１の洗浄を行う場合には、前述と同様、使用者のスイッチ操作に基づいて駆動装置７Ｄのモータ７１が駆動する。すると、モータ軸７２、駆動軸７７及び駆動ギヤ７８が回転し、これにより駆動ギヤ７８と逆方向にギヤ８７がこれの軸芯Ｐ４の回りを水平方向に沿って回転し、第１カム８５Ｄのカム面がリム用の開閉弁４Ｒのシャフト４７を矢印Ｙ３方向つまり上方に押圧し、この結果リム用の開閉弁４Ｒを開弁させる。よって、水がリム用導管１９を介してリム通水路１２に供給し、ボウル部１０の内面を洗浄する。
【００４６】
第１カム８５Ｄのカム面がリム用の開閉弁４Ｒのシャフト４７を矢印Ｙ３方向に押圧しなくなると、リム用の開閉弁４Ｒが閉弁する。その後、第２カム８６Ｄのカム面がジェット用の開閉弁４Ｊのシャフト４７を矢印Ｙ４方向つまり下方向に押圧し、ジェット用の開閉弁４Ｊを開弁させる。これにより、前述と同様、水をジェット用導管１８を介してジェットノズル１５に給水し、トラップ部１４に強制的にサイホン作用を生じさせる。
【００４７】
次いで、第２カム８６Ｄのカム面がジェット用の開閉弁４Ｊのシャフト４７を矢印Ｙ４方向に押圧しなくなり、ジェット用の開閉弁４Ｊが閉弁した後、第１カム８５Ｄのカム面がリム用の開閉弁４Ｒのシャフト４７を再度矢印Ｙ３方向に押圧し、リム用の開閉弁４Ｒを再度開弁させる。これにより、再び水をリム用導管１９を介してリム通水路１２に給水し、ボウル部１０を封水する。
【００４８】
実施形態４においても、図１２に示すように、開閉弁４Ｊ、４Ｒのシャフト４７は便器本体の縦方向に延在しており、シャフト４７の先端が側方または後方に突出することが抑えられており、設置スペースが抑えられている。
また、カム装置８は開閉弁４Ｊと開閉弁４Ｒとの間に介在して設けられているため、この意味においても設置スペースを抑えることができる。
【００４９】
さらに、実施形態３では、図１２に示すように、リム用の縦長形状の開閉弁４Ｒとジェット用の縦長形状の開閉弁４Ｊとが互いに突き合わせられるように対面しているため、複数個の開閉弁４Ｊ、４Ｒを設置するスペースとしては、１個分のスペースで済む。更にシャフト４７と共に、回転軸８３Ｄ、駆動軸７７は縦方向に沿って互いにほぼ平行に配置されているため、この意味においても設置スペースを抑えることができる。
【００５０】
なお、本実施形態では、図１２に示すように、ジェット用の開閉弁４Ｊ側を下側に、リム用の開閉弁４Ｒを上側に配置しているが、逆に、ジェット用の開閉弁４Ｊ側を上側に、リム用の開閉弁４Ｒを下側に配置することもできる。
（実施形態５）
実施形態５を図１３に示す。実施形態５は実施形態４と基本的には同様の構成であり、基本的には同様の作用効果を奏する。本実施形態では共通の部位には共通の符号を付する。以下、実施形態４と異なる部位を中心として説明する。
【００５１】
実施形態５では、ベースプレート３１の下面部にジェット用の開閉弁４Ｊ、リム用の開閉弁４Ｒ及び駆動装置７Ｅのモータ７１が並設状態で取り付けられている。カム装置８Ｅは、ベースプレート３１の軸受９０ｓに回転可能に保持された縦型の第１回転軸９１と、ベースプレート３１の軸受９０ｔに回転可能に保持された縦型の第２回転軸９２と、第１回転軸９１に一体に設けられ水平方向に沿って軸芯Ｐ６の回りを回転する回転体としての第１ギヤ９３と、第１ギヤ９３の下面部に突設された第１カム８５Ｅと、第２回転軸９２に一体に設けられ水平方向に軸芯Ｐ７の回りを回転すると共に第１ギヤ９３と噛合する回転体としての第２ギヤ９４と、第２ギヤ９４の下面部に突設された第２カム８６Ｅとを備えている。第１カム８５Ｅ及び第２カム８６Ｅは傾斜面をもつ。
【００５２】
駆動装置７Ｅは、ベースプレート３１の下面部に取り付けられ上向きのモータ軸７２をもつモータ７１と、ベースプレート３１に設けられた軸受９０ｕに回転可能に保持されモータ軸７２に係合する縦型の駆動軸７７と、駆動軸７７に保持され第１ギヤ９３と噛合して水平回転可能な駆動ギヤ７８とを備えている。
便鉢１１の洗浄を行う場合には、前述と同様、使用者のスイッチ操作に基づいて駆動装置７Ｅのモータ７１が駆動する。すると、モータ軸７２及び駆動軸７７が一体に回転し、駆動ギヤ７８が回転し、これにより、駆動ギヤ７８と逆方向に第１ギヤ９３がこれの軸芯Ｐ６を中心として水平方向で回転し、且つ、第１ギヤ９３と逆方向に第２ギヤ９４がこれの軸芯Ｐ７を中心として水平方向で回転する。
【００５３】
第１ギヤ９３の回転により、第１カム８５Ｅのカム面がリム用の開閉弁４Ｒのシャフト４７を矢印Ｙ５方向つまり下方に押圧し、リム用の開閉弁４Ｒを開弁させる。図５（Ａ）及び（Ｂ）を参照すれば、押圧コイルバネ５２が弾性収縮し、ピストン４６は座面４１ｘから離座し、入水ポート４２と出水ポート４３との連通を開ける。よって、前述と同様、水がリム用導管１９を介してリム通水路１２に供給し、ボウル部１０の内面を洗浄する。
【００５４】
本実施形態のカム装置８Ｅの駆動に伴い、第１カム８５のカム面がリム用の開閉弁４Ｒのシャフト４７を矢印Ｙ５方向つまり下方向に押圧しなくなり、リム用の開閉弁４Ｒが閉弁した後、第２ギヤ９４の第２カム８６Ｅのカム面がジェット用の開閉弁４Ｊのシャフト４７を矢印Ｙ６方向つまり下方向に押圧し、ジェット用の開閉弁４Ｊを開弁させるようになる。これにより、水をジェット用導管１８を介してジェットノズル１５に給水し、トラップ部１４に強制的にサイホン作用を生じさせる。
【００５５】
次いで、本実施形態のカム装置８Ｅの駆動に伴い、第２カム８６Ｅのカム面がジェット用の開閉弁４Ｊのシャフト４７を矢印Ｙ６方向に押圧しなくなり、ジェット用の開閉弁４Ｊが閉弁した後、第１カム８５Ｅのカム面がリム用の開閉弁４Ｒのシャフト４７を再度矢印Ｙ５方向に押圧し、リム用の開閉弁４Ｒを再度開弁させる。これにより、水をリム用導管１９を介してリム通水路１２に給水し、ボウル部１０を封水する。
【００５６】
本実施形態のカム装置８Ｅでは、第１カム８５Ｅは第１ギヤ９３の下面部に形成されていると共に、第２カム８６Ｅは第２ギヤ９４の下面部に形成されているため、長期にわたる使用においても、第１カム８５Ｅ及び第２カム８６Ｅに塵、水等の異物が付着することを防止することができ、第１カム８５Ｅ及び第２カム８６Ｅの円滑な作動を確保できる。
【００５７】
実施形態５においても、開閉弁４Ｊ、４Ｒのシャフト４７は便器本体の縦方向に延在しており、シャフト４７の先端が側方または後方に突出することが抑えられており、設置スペースを抑えることができる。
また、カム装置８は開閉弁４Ｊ、４Ｒの軸方向上端に位置して設けられ、カム装置８が開閉弁４Ｊ、４Ｒの設置スペースの上に設置されているため、この意味においても設置スペースを抑えることができる。
【００５８】
（実施形態６）
実施形態６を図１４及び図１５に示す。実施形態６は実施形態５と基本的には同様の構成であり、基本的には同様の作用効果を奏する。本実施形態では共通の部位には共通の符号を付する。以下、実施形態５と異なる部位を中心として説明する。
【００５９】
実施形態６では、カム装置８Ｆは、互いに対向する取付片８１をもつブラケット８２に取り付けられており、取付片８１に水平方向に沿って架設された回転軸８３と、回転軸８３に一体的に同軸的に保持された第１カム８５Ｆ及び第２カム８６Ｆとを備えている。図１５に示すように、第１カム８５Ｆは、周方向に１周するリング壁部９７と、リング壁部９７の内周面に内方に向けて突設された複数個のカム部９８とをもつ。カム部９８は、周方向で互いに背向する傾斜面９８ａ、９８ｂと、傾斜面９８ａ、９８ｂ同士をつなぐ連接面９８ｃとをもつ。
【００６０】
本実施形態の開閉弁４Ｒ、４Ｊは、シャフト４７が引っ張られると開弁する形態である。開閉弁４Ｒ、４Ｊに設けられているシャフト４７の上端部には、横断面円形状をなすピン状の係止子９９が設けられている。
カム装置８Ｆの回転軸８３が回転して第１カム８５Ｆが周方向に回転すると、カム部９８の傾斜面９８ａにより係止子９９及びシャフト４７が矢印Ｙ７方向つまり上方に引っ張られ、更にカム部９８の連接面９８ｃが係止子９９及びシャフト４７の上方への引っ張りを継続する。更に第１カム８５Ｆが回転すると、シャフト４７を押圧しているバネまたは重力により、係止子９９は傾斜面９８ｂに沿って下る。その後はリング壁部９７の内周面９７ｋに沿って係止子９９は相対移動する。連接面９８ｃの周長は、係止子９９及びシャフト４７を持ち上げて開閉弁４Ｒを開弁させている領域であり、適宜設定することができる。
【００６１】
上記説明は、開閉弁４Ｒを開閉させる第１カム８５Ｆのカム作用についてであるが、他方の第２カム８６Ｆも同様なカム作用を奏し、開閉弁４Ｊを開閉させるものである。
図１４に示すように、回転軸８３の軸端部に隣接して同軸的に駆動装置７Ｆが設けられている。駆動装置７Ｆは、回転軸７３の軸端部に係合するモータ軸７２をもつモータ７１を備えている。
【００６２】
便鉢１１の洗浄を行う場合には、前述同様に、駆動装置７Ｆのモータ７１が駆動する。すると、モータ軸７２及び回転軸８３が一体に回転し、第１カム８５Ｆ及び第２カム８６Ｆが回転する。第１カム８５Ｆの回転により、第１カム８５Ｆのカム部９８がリム用の開閉弁４Ｒのシャフト４７を矢印Ｙ７方向つまり上方向に引っ張り、リム用の開閉弁４Ｒを開弁させる。よって、前述と同様、水がリム用導管１９を介してリム通水路１２に供給し、ボウル部１０の内面を洗浄する。
【００６３】
本実施形態のカム装置８Ｆのさらなる駆動に伴い、第１カム８５Ｆがリム用の開閉弁４Ｒのシャフト４７を矢印Ｙ７方向に引っ張らなくなり、リム用の開閉弁４Ｒが閉弁する。その後、第２カム８６Ｆのカム部９８がジェット用の開閉弁４Ｊのシャフト４７を矢印Ｙ８方向に引っ張り、ジェット用の開閉弁４Ｊを開弁させる。これにより、水をジェット用導管１８を介してジェットノズル１５に給水し、トラップ部１４に強制的にサイホン作用を生じさせる。
【００６４】
次いで、第２カム８６Ｆがジェット用の開閉弁４Ｊのシャフト４７を矢印Ｙ７方向に引っ張らなくなり、ジェット用の開閉弁４Ｊが閉弁する。その後、第１カム８５Ｆがリム用の開閉弁４Ｒのシャフト４７を再度矢印Ｙ７方向に引っ張り、リム用の開閉弁４Ｒを再度開弁させるようになる。これにより、水をリム用導管１９を介してリム通水路１２に給水し、ボウル部１０を封水する。
【００６５】
実施形態６においても、開閉弁４Ｊ、４Ｒのシャフト４７は便器本体の縦方向に延在しており、シャフト４７の先端が側方または後方に突出することが抑えられており、設置スペースを抑えることができる。
また、カム装置８Ｆは開閉弁４Ｊ、４Ｒの軸方向上端に位置して設けられ、カム装置８Ｆが開閉弁４Ｊ、４Ｒの設置スペースの上に設置されているため、この意味においても設置スペースを抑えることができる。
【図面の簡単な説明】
【図１】実施形態１に係り、タンクレス便器の要部の断面図である。
【図２】実施形態１に係り、タンクレス便器の要部の斜視図である。
【図３】実施形態１に係り、タンクレス便器の要部の平面図である。
【図４】実施形態１に係り、タンクレス便器の要部の背面図である。
【図５】実施形態１に係り、（Ａ）は開閉弁の閉弁状態を模式的に示す断面図であり、（Ｂ）は開閉弁の開弁状態を模式的に示す断面図である。
【図６】実施形態１に係り、ジェット用の開閉弁及びカム装置を用いた便器洗浄装置の側面図である。
【図７】実施形態１に係り、ジェット用の開閉弁、リム用の開閉弁及びカム装置を用いた便器洗浄装置の正面図である。
【図８】実施形態２に係り、ジェット用の開閉弁及びカム装置を用いた便器洗浄装置の側面図である。
【図９】実施形態２に係り、ジェット用の開閉弁、リム用の開閉弁及びカム装置を用いた便器洗浄装置の正面図である。
【図１０】実施形態３に係り、ジェット用の開閉弁及びカム装置を用いた便器洗浄装置の側面図である。
【図１１】実施形態３に係り、ジェット用の開閉弁、リム用の開閉弁及びカム装置を用いた便器洗浄装置の正面図である。
【図１２】実施形態４に係り、ジェット用の開閉弁、リム用の開閉弁及びカム装置を用いた便器洗浄装置の一部を断面にして示す正面図である。
【図１３】実施形態５に係り、ジェット用の開閉弁、リム用の開閉弁及びカム装置を用いた便器洗浄装置の一部を断面にして示す正面図である。
【図１４】実施形態６に係り、ジェット用の開閉弁、リム用の開閉弁及びカム装置を用いた便器洗浄装置の正面図である。
【図１５】実施形態６に係り、カム装置の側面図である。
【符号の説明】
１…便器本体
３…便器洗浄装置
４Ｒ…リム用の開閉弁、４Ｊ…ジェット用の開閉弁
４１…弁ハウジング
４２…入水ポート
４３…出水ポート
４７…シャフト
７…駆動装置（７１…モータ）
８、８Ｄ、８Ｅ、８Ｆ…カム装置
８５、８５Ｄ、８５Ｅ、８５Ｆ…第１カム
８６、８６Ｄ、８６Ｅ、８６Ｆ…第２カム
【図１】
0003641167.tif 000002
【図２】
0003641167.tif 000003
【図３】
0003641167.tif 000004
【図４】
0003641167.tif 000005
【図５】
0003641167.tif 000006
【図６】
0003641167.tif 000007
【図７】
0003641167.tif 000008
【図８】
0003641167.tif 000009
【図９】
0003641167.tif 000010
【図１０】
0003641167.tif 000011
【図１１】
0003641167.tif 000012
【図１２】
0003641167.tif 000013
【図１３】
0003641167.tif 000014
【図１４】
0003641167.tif 000015
【図１５】
0003641167.tif 000016